(57)【要約】【課題】  アンテナで受信したテレビ放送電波の受信信号を、減衰させずにテレビ受信装置に送り込むことができるアンテナコネクタ及びコネクタ一体型アンテナを提供する。【解決手段】  テレビ受信装置のアンテナ端子に接続するアンテナ端子接続用プラグ８とアンテナ導体３に接続する中継基板７とこれらを保護するハウジング６からなるコネクタ９を、アンテナ導体３が配された絶縁性フィルム２，４のアンテナ導体３の給電部３ａ，３ｂを覆うように直付けする。【選択図】  図１
2008306238.tif 000002
【特許請求の範囲】
【請求項１】
テレビ受信装置のアンテナ端子に接続するアンテナプラグと、アンテナプラグとアンテナ導体とを接続する中継基板と、これらを保護するハウジングとを備えるアンテナコネクタであって、上記中継基板がアンテナ導体に直付けされるとともに、上記ハウジングがアンテナに直付けされることを特徴とするアンテナコネクタ。
【請求項２】
前記ハウジングは、接合分離可能な嵌め合い構造となっており、前記アンテナを挟み込んで一体化することを特徴とする請求項２記載のアンテナコネクタ。
【請求項３】
前記アンテナは、アンテナ導体を絶縁性フィルムで挟み込んだフィルム状アンテナであることを特徴とする請求項１又は２記載のアンテナコネクタ。
【請求項４】
前記ハウジングと前記アンテナを一体化した請求項１から３いずれか１項記載のコネクタ一体型アンテナ。
【発明の詳細な説明】
【技術分野】
【０００１】
本発明は、テレビ受信装置用のアンテナコネクタ及びコネクタ一体型アンテナに関する。
【背景技術】
【０００２】
近年、地上デジタルテレビ放送の開始にともない、テレビ受信装置は、ノイズやゴーストの影響のない鮮明な画像が楽しめる環境が整いつつある。また、1セグメント部分受信サービス（いわゆるワンセグ）により、パソコンなどの情報端末にワンセグ対応チューナーを接続することで、手軽に地上デジタルテレビ放送を受信することができるようになった。いっぽう、地上デジタルテレビ放送や地上アナログテレビ放送などのＵＨＦ帯やＶＨＦ帯のテレビ放送を受信するためには、テレビ電波を受信するためのテレビ放送受信用アンテナが不可欠である。従来、テレビ放送受信用アンテナは、指向性や受信感度などの特性上の問題から、家屋の屋上などに設置され、テレビ放送電波がアンテナで受信されると、この受信信号は、同軸ケーブルやフィーダー線などの中間接続電線を介して室内のテレビ受信装置に送り込まれる。この受信信号は、中間接続電線を通過することにより減衰することから、受信信号レベルが一定基準に満たないことがあり、アンテナとテレビ受信装置の間にブースター装置と呼ばれる信号増幅器を取り付けて信号増幅しなければならない。そこで、テレビ受信装置に入力されるアンテナからの受信信号を一定基準レベル以上としつつ、自在な場所に設置できる広い指向性を有するアンテナの実用化が取り組まれている。
【０００３】
特許文献１から３は、アンテナ導体が配された絶縁性フィルム上に外部ケーブル（中間接続電線）のコネクタに接続するためのコネクタを取り付けた車載用アンテナであり、上記絶縁性フィルム基板が可撓性を有するため、自動車の窓ガラス等に取り付けやすい構造になっている。特許文献４と６は、アンテナ導体が複数の閉ループ素子を形成しており、高感度で広い指向性を得るようにした小型アンテナである。また、特許文献５は、外側にＶＨＦ帯のアンテナパターンを形成し、内側にＵＨＦ帯のアンテナパターンを形成した小型アンテナである。
【特許文献１】特開２００１−３１３５０８号公報
【特許文献２】特開２００２−１１１３４６号公報
【特許文献３】特開２００３−２４９８０７号公報
【特許文献４】特許第３３２３４４２号公報
【特許文献５】特開２００６−２４５７１４号公報
【特許文献６】特開２００６−２４６１３９号公報
【発明の開示】
【発明が解決しようとする課題】
【０００４】
しかしながら、従来のアンテナは、テレビ放送電波がアンテナで受信されると、この受信信号は、同軸ケーブルなどの中間接続電線を介してテレビ受信装置に送り込まれることから、アンテナで受信したテレビ放送電波の受信信号が、中間接続電線を通過することにより減衰してしまうという問題点を有する（例えば特許文献１から６）。従来のアンテナ導体の給電部（端子）に接続するコネクタは、配線ケーブル（中間接続電線）が接続されたコネクタであり、配線ケーブルによる受信信号の減衰の影響が大きいことからアンプ等の増幅回路を内蔵しているのが実態である（例えば特許文献１の図１等を参照）。また、フイルム状のアンテナにコネクタを取り付ける場合には、フィルム状のアンテナが屈曲等により容易に変形してしまい、アンテナ導体の給電部（端子）とコネクタの端子との接続部に外力が加わることで、上記の接続部に亀裂が入りやすく、亀裂が入ると電気接続不良となるという問題点を有する（例えば特許文献２と３）。このアンテナ導体の給電部（端子）とコネクタの端子との接続部の電気接続不良の対策として、外力を緩和する目的で、アンテナ導体の給電部（端子）とコネクタの端子とを直接接続せずに、導電接着剤を介して、さらに、上記の接続部の反対側の面に接着剤等による補強を行っている（特許文献２と３）。しかしながら、アンテナ導体の給電部（端子）とコネクタの端子との間に導電接着剤を介することにより、電気信号の経路の抵抗値が増大してしまい、テレビ放送電波の受信信号が導電接着剤の層を通過することで減衰してしまうという問題点を有する。なお、特許文献２と３に記載されているコネクタは、アンテナ導体と配線ケーブル（中間接続電線）とを接続するコネクタであり、テレビ受信装置のアンテナ端子に接続するアンテナプラグが備わったアンテナコネクタとは全く異なるものである。
【０００５】
そこで本発明の目的は、アンテナで受信したテレビ放送電波の受信信号を、減衰させずにテレビ受信装置に送り込むことができるアンテナコネクタ及びコネクタ一体型アンテナを提供することにある。
【課題を解決するための手段】
【０００６】
本発明のアンテナコネクタは、テレビ受信装置のアンテナ端子に接続するアンテナプラグと、アンテナプラグとアンテナ導体とを接続する中継基板と、これらを保護するハウジングとを備えるアンテナコネクタであって、上記中継基板がアンテナ導体に直付けされるとともに、上記ハウジングがアンテナに直付けされることを特徴とする。
【０００７】
この発明によれば、テレビ受信装置のアンテナ端子に接続するアンテナプラグとアンテナ導体とを接続する中継基板がアンテナ導体に直付けされるとともに、上記ハウジングがアンテナに直付けされることで、アンテナで受信した受信信号を、同軸ケーブルなどの中間接続電線を介在させずに直接、テレビ受信装置に送り込むことから、受信信号の減衰がない。
【０００８】
ここで、「直付け」とは、何も介在させずに直接取り付けることを指し、ここでは、中継基板とアンテナ導体とを、何も介在させずに直接取り付けることや、ハウジングとアンテナ本体とを、何も介在させずに直接取り付けることをいう。
【０００９】
本発明としては、前記ハウジングは、接合分離可能な嵌め合い構造となっており、前記アンテナを挟み込んで一体化することが好ましい。さらには、前記アンテナは、アンテナ導体を絶縁性フィルムで挟み込んだフィルム状アンテナであることが好ましい。
【００１０】
前記ハウジングが接合分離可能な嵌め合い構造となっており、前記アンテナを挟み込んで一体化することで、ハウジングが、ハウジング内部のアンテナ導体と中継基板との接続部を外部から保護するため、例えば前記アンテナを変形させるような外部からの変形力が加わったとしても、アンテナ導体と中継基板の接続部には、外部からの変形力が加わることがないため、これらの接続の信頼性を高くすることができる。さらには、前記アンテナが、アンテナ導体を絶縁性フィルムで挟み込んだフィルム状アンテナであることで、前記ハウジングで確実にフィルム状アンテナを挟み込んで保持することができる。
【００１１】
前記フィルム状アンテナとしては、フィルム状アンテナの中央に配置されたループ状の導体箔の外側の線対称の位置に複数のループ状の導体箔からなるアンテナ素子を配した平面アンテナが好ましい。
【００１２】
フィルム状アンテナの中央に配置されたループの外側の線対称の位置に複数のループ状アンテナ素子を配することで、広い指向性が得られるため、室内に設置するアンテナに好適である。
【００１３】
前記アンテナ導体と中継基板との接続は、前記ハウジングに設けられたばね等の加圧部材の付勢力により加圧することが好ましく、さらには前記アンテナ導体と中継基板との接触面積を大きくしたり、これら接触面の表面に金めっきなどを施すことが好ましい。前記アンテナ導体と中継基板との接続を、前記ハウジングに設けられたばね等の加圧部材の付勢力により加圧したり、前記アンテナ導体と中継基板との接触面積を大きくしたり、これら接触面の表面に金めっきなどを施すことにより、前記アンテナ導体と中継基板との接触抵抗をさらに小さくすることができる。
【００１４】
これらの発明により、テレビ放送電波の受信信号の減衰がない良好なコネクタ一体型アンテナが実現する。
【発明の効果】
【００１５】
本発明のアンテナコネクタによれば、テレビ受信装置のアンテナ端子に接続するアンテナプラグとアンテナ導体とを接続する中継基板がアンテナ導体に直付けされるとともに、上記ハウジングがアンテナに直付けされることで、アンテナで受信した受信信号を、同軸ケーブルなどの中間接続電線を介在させずに直接、テレビ受信装置に送り込むことから、受信信号の減衰がない。また、前記ハウジングが接合分離可能な嵌め合い構造となっており、前記アンテナを挟み込んで一体化することで、前記アンテナに外力が加わったとしても、ハウジング内部のアンテナ導体と中継基板との接続部には負荷が加わることがないため、これらの接続の信頼性を高くすることができる。これらの発明により、テレビ放送電波の受信信号の減衰がない良好なコネクタ一体型アンテナが実現する。
【発明を実施するための最良の形態】
【００１６】
以下、本発明を実施するための最良の形態を図面を引用しながら説明する。
【００１７】
（従来例）
図６は、従来例のコネクタケーブル付きアンテナＸ１である。図６に示すコネクタケーブル付きアンテナＸ１は、テレビ受信装置のアンテナ端子に接続するアンテナ端子接続用プラグが備わったコネクタ５９と所定長さ（例えば５ｍ）の同軸ケーブル６０と同軸ケーブル６０とアンテナ１を固定するための固定器具６１とアンテナ１からなる。アンテナ１は、例えば絶縁性フィルム２にアンテナ導体３が配され、絶縁性フィルム４がアンテナ導体３を覆うように積層されたフィルム状アンテナである。コネクタ５９と同軸ケーブル６０の一方の終端部は電気接続されており、また、アンテナ１のアンテナ導体３の給電部と同軸ケーブル６０の他方の終端部は電気接続されている。同軸ケーブル６０の一方の終端部は、シールド線（編組線）６０ｂと絶縁体６０ｃと芯線６０ａが所定の長さ（例えば２０ｍｍ）だけ露出するように加工処理されており、コネクタ５９に内蔵された接続器具（図示せず）を介して、芯線６０ａとコネクタ５９のアンテナプラグの芯線８ａが接続され、シールド線６０ｂとコネクタ５９のアンテナプラグのシールド筒８ｂが接続される。また、同軸ケーブル６０の他方の終端部は、シールド線（編組線）６０ｂと絶縁体６０ｃと芯線６０ａが所定の長さだけ露出するように加工処理され、芯線６０ａとアンテナ導体３の一方の給電部３ｂが接続され、シールド線６０ｂとアンテナ導体３の他方の給電部３ｂが接続される。
【００１８】
図６に示すような、従来のコネクタケーブル付きアンテナＸ１は、テレビ放送電波がアンテナ１で受信されると、この受信信号は、同軸ケーブル６０を介してテレビ受信装置に送り込まれることから、アンテナ１で受信した受信信号が、同軸ケーブル６０を通過することで減衰してしまうという問題点を有する。アンテナ１で受信した受信信号の減衰量は、同軸ケーブル６０の長さに応じて減衰量が大きくなり、テレビ放送電波の受信信号レベルが４０ｄＢに満たないような場合には、アンテナ１とテレビ受信装置の間にブースター装置を取り付けて信号増幅しなければならない。
【００１９】
（本発明の第１の実施形態）
図１（ａ）は、本発明を適用した一実施の形態のコネクタ一体型アンテナＺ１の平面図である。図１（ｂ）は、図１（ａ）のＡ−Ａ線断面図である。本実施の形態は、テレビ受信装置のアンテナ端子に接続するアンテナ端子接続用プラグが備わったコネクタ９とアンテナ１からなる。コネクタ９は、テレビ受信装置のアンテナ端子に接続するアンテナ端子接続用プラグ８とアンテナ導体露出部３ａ，３ｂに接続する中継基板７とこれらを保護する絶縁性ハウジング６からなる。アンテナ１は、絶縁性フィルム２にアンテナ導体３が配され、絶縁性フィルム４がアンテナ導体３を覆うように積層されたフィルム状アンテナである。
【００２０】
コネクタ９の絶縁性ハウジング６は、プラスチック樹脂の一体成型品であり、アンテナ端子接続用プラグ８が取り付けられた一方の側のハウジング６ａと他方の側のハウジング６ｂは、その一部が接合分離可能な嵌め合い構造となっている。例えばハウジング６ａとハウジング６ｂは、一方の側面が繋がっており、ハウジング６ｂの他方の側面には成型されたツメ部（凸部）が設けられており、ハウジング６ａの他方の側面には成型され窪んだ窪み部（凹部）が設けられていることにより、ハウジング６ａとハウジング６ｂは接合分離可能な嵌め合い構造となる（図示せず）。ここで、ハウジング６ａとハウジング６ｂは、接合分離可能な嵌め合い構造となっていればよく、ハウジング６ａと６ｂは、その一部が繋がっていても、完全分離された複数の部品からなっていてもよい。そして、コネクタ９のハウジング６の一方の側のハウジング６ａと他方の側のハウジング６ｂにて、アンテナ１を挟み込むことにより、中継基板７の電極パターン７ａとアンテナ導体露出部３ａがハウジング６ａと６ｂにて加圧されることで電気接続されることとなり、アンテナ導体露出部３ａとアンテナプラグの芯線８ａが電気接続される。同様に、ハウジング６ａと６ｂにて、アンテナ１を挟み込むことにより、中継基板７の電極パターン７ｂ（図示せず）とアンテナ導体露出部３ｂがハウジング６ａと６ｂにて加圧されることで電気接続されることとなり、アンテナ導体露出部３ｂとアンテナプラグのシールド筒８ｂが電気接続される。なお、ここでは、接続の極性は問わないため、アンテナ導体露出部３ａとアンテナプラグのシールド筒８ｂが電気接続され、アンテナ導体露出部３ｂとアンテナプラグの芯線８ａが電気接続されていても支障はない。そして、コネクタ９は、アンテナ導体３が配された絶縁性フィルム基板２のアンテナ導体露出部３ａ，３ｂを覆うようにアンテナ１に直付される（図１（ａ）、（ｂ））。本発明のコネクタ一体型アンテナＺ１は、同軸ケーブルなどの中間接続電線がないため、アンテナ１で受信した受信信号を、減衰させることなくテレビ受信装置に送り込むことができる。
【００２１】
図２は、コネクタ一体型アンテナＺ１の製造方法を示す模式図である。コネクタ一体型アンテナＺ１の製造方法について以下に説明する。
【００２２】
図２（ａ）は、アンテナ１の平面図であり、図２（ｂ）は、図２（ａ）のＡ−Ａ線断面図である。アンテナ１は、ポリイミドなどの絶縁性フィルムからなる基板２に銅箔などの導体箔からなるアンテナ導体３がエッチングなどにより形成され、ポリイミドなどの絶縁性フィルムからなる保護フィルム４がアンテナ導体３を覆うように積層されたフィルム状アンテナである（図２（ａ）、（ｂ））。アンテナ導体３は、図中、点線で示され、給電部３（３ａ，３ｂ）の保護フィルム４の側の面が露出している（図２（ｂ））。図２（ａ）中央のＡ−Ａ線の上側と下側のアンテナ導体３は線対称のパターンとなっており、図２（ａ）のように線対称の位置に複数のループ状アンテナ素子を配することで、広い指向性が得られるため、室内に設置するアンテナに適している。この複数のループ状アンテナ素子は、受信する周波数帯に応じてサイズを適宜設計する。図２（ａ）の上側と下側に配された複数のループ状アンテナ素子で受信したテレビ放送電波は、図２（ａ）の中央に配されたループに集められ、受信信号を給電部３（３ａ，３ｂ）から出力される。給電部３（３ａ，３ｂ）の出力インピーダンスは、映像用高周波インピーダンス７５オームに整合されている。
【００２３】
給電部３ａと３ｂの間は絶縁されており、コネクタ９を取り付ける際のガイド孔５が開いている（図２（ｂ））。コネクタ９のアンテナ端子接続用プラグ８が取り付けられた一方の側のハウジング６ａの内側（アンテナ１の側）には、突起部６ａｔが配されており、この突起部６ａｔをガイド孔５に通してハウジング６ａに内蔵されたアンテナ導体接続用の中継基板７の電極７ａ（７ｂ）とアンテナ１の給電部３の電極３ａ（３ｂ）との位置合わせを行い、ハウジング６ａをアンテナ１に取り付ける（図２（ｃ））。ハウジング６ｂの内側（アンテナ１の側）には、突起部６ｂｔが配されており、ハウジング６ｂをハウジング６ａに組み付け嵌め合わせることで、ハウジング６ａとハウジング６ｂにてアンテナ１を挟み込んで嵌め合わせて一体化するとともに、ハウジング６ａ側の中継基板７とハウジング６ｂ側の突起部６ｂｔにてアンテナ１の給電部３を挟み込んでハウジング６ａと６ｂとの嵌め合いによる押し込みの加圧力で加圧する（図２（ｄ））。ハウジング６ａと６ｂによって、アンテナ１を挟み込んで嵌め合わせて一体化することで、アンテナ１を保持（固定）するとともに、ハウジング６ｂ側の突起部６ｂｔと中継基板７によって、中継基板７の電極７ａ（７ｂ）とアンテナ１の給電部３の電極３ａ（３ｂ）とが加圧されて電気接続されることから、アンテナ１の給電部３とプラグ８とが電気接続される。つまり、給電部３ａと基板７の電極パターン７ａが電気接続されることで、電極パターン７ａに接続されたアンテナプラグの芯線８ａとが電気接続され（図２（ｄ））、給電部３ｂと基板７の電極パターン７ｂが電気接続されることで、電極パターン７ｂに接続されたアンテナプラグのシールド筒８ｂが電気接続される（図示せず）。さらに、ハウジング６ｂの内部にシールド板６ｂｓを取り付けておくことにより、ハウジング６ｂとハウジング６ａとを組み付けた時にシールド板６ｂｓがアンテナプラグのシールド筒８ｂと電気接続される構造としてもよい。このようにして、コネクタ一体型アンテナＺ１が完成する（図２（ｅ））。
【００２４】
（本発明の第２の実施形態）
図３は、本発明を適用した第２の実施の形態のコネクタ一体型アンテナＺ２の平面図である。コネクタ一体型アンテナＺ２は、陽極のアンテナ導体１３ａの内側に陰極のアンテナ導体１３ｂが配されている構成となっているので、給電部の位置の自由度が高くなり、例えばコネクタ９をアンテナ１１の内側に近づけて取り付けることが可能となるので、さらに小型のコネクタ一体型アンテナＺ２となる。
【００２５】
（本発明の第３の実施形態）
図４（ａ）は、本発明を適用した第３の実施の形態のコネクタ一体型アンテナＺ３の平面図である。図４（ｂ）は、図４（ａ）のＡ−Ａ線断面図である。コネクタ一体型アンテナＺ３は、第１の実施形態のコネクタ一体型アンテナＺ１に加圧ばねＳｐを内蔵した構成となっており、ハウジング２６ｂの内側（アンテナ１の側）の突起部２６ｂｔにコイルばねＳｐ１を取り付けることで、ハウジング２６ａとハウジング２６ｂにてアンテナ１を挟み込んで嵌め合わせて一体化することで、ハウジング２６ａ側の中継基板２７とハウジング２６ｂ側のコイルばねＳｐ１にてアンテナ１の給電部３を加圧することとなり、中継基板２７の電極２７ａ（７ｂ）とアンテナ１の給電部３の電極３ａ（３ｂ）との接触抵抗値が更に小さくなり安定する。
【００２６】
（本発明の第４の実施形態）
図５（ａ）は、本発明を適用した第４の実施の形態のコネクタ一体型アンテナＺ４の平面図である。図５（ｂ）は、図５（ａ）のＡ−Ａ線断面図である。コネクタ一体型アンテナＺ４は、コネクタ３９がクリップ形状を呈しており、ハウジング３６ａと３６ｂがシャフトｓｆを介して回動可能に接続され、シャフトｓｆに通されたコイルばねＳｐ２の復元力によってハウジング３６ａと３６ｂのアンテナ３１側の端部（アンテナ端子接続用プラグ３８側の反対側）を閉じることとなる。シャフトｓｆを支点として、コネクタ３９のハウジング３６ａのアンテナ端子接続用プラグ３８側とハウジング３６ｂの目玉部３６ｂｍを押し合わせて近づける方向に力を加えると、ハウジング３６ａと３６ｂのアンテナ３１側の端部（アンテナ端子接続用プラグ３８側の反対側）が開き、アンテナ３１をハウジング３６ａと３６ｂの間に差し込んだり引き抜いたりすることができる。コネクタ一体型アンテナＺ４は、コネクタ３９に内蔵されたコイルばねＳｐ２の復元力により、ハウジング３６ａに配されたフィルム状の中継基板３７とアンテナ導体３３の給電部３３ａ，３３ｂとを加圧することで、中継基板３７の電極３７ａ（３７ｂ）とアンテナ１の給電部３３の電極３３ａ（３３ｂ）とが電気接続される。コネクタ一体型アンテナＺ４のコネクタ３９は、アンテナから着脱自在のクリップ式コネクタであることから、アンテナ３１に限らず、市販のアンテナに自在に取り付けることも可能である。
【００２７】
これら本発明のコネクタ一体型アンテナＺ１からＺ４によれば、テレビ受信装置のアンテナ端子に接続するアンテナ端子接続用プラグ８（１８，２８，３８）を備えたコネクタ９（１９，２９，３９）をフィルム状アンテナ１（１１，３１）のアンテナ導体の給電部３ａ（１３ａ，３３ａ）と３ｂ（１３ｂ，３３ｂ）を覆うように直付けすることで、アンテナで受信した受信信号を、同軸ケーブルなどの中間接続電線を介在させずに直接、テレビ受信装置に送り込むことから、受信信号の減衰がない。また、絶縁フィルムの線対称の位置に複数のループ状アンテナ素子を配することで、広い指向性が得られるため、室内に設置するアンテナに好適であり、例えば、室内テレビ受信装置の背面側が狭い空間であったとしても、その空間に応じて自在にコネクタ一体型アンテナを取り付けることができ、広い指向性で受信ロスなくテレビ放送電波を受信することができる。
【００２８】
（実施例）
図１に示す本発明のコネクタ一体型アンテナＺ１と、図６に示す従来例のコネクタケーブル付きアンテナＸ１とを用いて、地上デジタル放送の受信信号レベルを比較した。アンテナ１は同一のものを使用した。従来例の同軸ケーブル６０は、Ｓ４ＣＦＢ／ＪＩＳ規格準拠のもので、長さは５ｍのものを用いた。コネクタ一体型アンテナＺ１の受信信号レベルは、従来例のコネクタケーブル付きアンテナＸ１に比べて、５ｄＢ〜７ｄＢ高い受信信号レベルが得られた。
【００２９】
以上、本発明は、上述した実施の形態に限定されるものではない。例えば、コネクタの電極とアンテナ導体の給電部の電極は、はんだ付けによる電気接続としても良く、アンテナ導体の給電部は、抵抗値を下げるためにその表面に金めっきを施してもよい。アンテナ導体のループ形状は長方形でもよいし、楕円形でもよい。このように、本発明は、その趣旨を逸脱しない範囲で適宜変更が可能であることは言うまでもない。
【図面の簡単な説明】
【００３０】
【図１】図１（ａ）は、本発明を適用した第１の実施の形態のコネクタ一体型アンテナの平面図である。図１（ｂ）は、図１（ａ）のＡ−Ａ線断面図である。
【図２】本発明を適用した第１の実施の形態のコネクタ一体型アンテナの製造方法を模式的に示す模式図である。
【図３】図３は、本発明を適用した第２の実施の形態のコネクタ一体型アンテナの平面図である。
【図４】図４（ａ）は、本発明を適用した第３の実施の形態のコネクタ一体型アンテナの平面図である。図４（ｂ）は、図４（ａ）のＡ−Ａ線断面図である。
【図５】図５（ａ）は、本発明を適用した第４の実施の形態のコネクタ一体型アンテナの平面図である。図５（ｂ）は、図５（ａ）のＡ−Ａ線断面図である。
【図６】図６は、従来例のコネクタケーブル付きアンテナの平面図である。
【符号の説明】
【００３１】
Ｚ１，Ｚ２，Ｚ３，Ｚ４        コネクタ一体型アンテナ、
１，１１，３１                アンテナ（フィルム状アンテナ）、
９，１９，２９，３９          コネクタ、
２，４                        絶縁性フィルム（保護フィルム）、
３，３ａ，３ｂ                アンテナ導体（アンテナ導体の給電部）、
６，６ａ，６ｂ                ハウジング、
７                            中継基板、
８                            アンテナ端子接続用プラグ、
８ａ                          アンテナプラグの芯線、
８ｂ                          アンテナプラグのシールド筒
【図１】
2008306238.tif 000003
【図２】
2008306238.tif 000004
【図３】
2008306238.tif 000005
【図４】
2008306238.tif 000006
【図５】
2008306238.tif 000007
【図６】
2008306238.tif 000008